(57)【特許請求の範囲】
【請求項１】
画像を撮像し、複数の撮像画像を１つの電子ドキュメントの複数のページに配置する撮像装置であって、
前記ページ上の画像枠と前記撮像画像を関連づけて記憶する記憶手段と、ユーザの操作に応答して、所定の状態の開始および解除の指示を受け付ける受付手段と、
前記記憶手段は、前記受付手段により前記所定の状態の開始の指示を受け付けてから解除の指示を受け付けるまでの間の撮像により得られた撮像画像を、前記複数のページのうち同じページの画像枠に関連づけて記憶することを特徴とする撮像装置。
【請求項２】
前記受付手段により前記所定の状態の開始の指示を受け付けてから解除の指示を受け付けるまでの間、撮像画像を関連づけるための画像枠が同じページにないとき、新たな画像を前記同じページに追加する追加手段と、
前記同じページに既存の画像枠と前記追加された画像枠の配置を調整する調整手段とをさらに備え、
前記記憶手段は追加された画像枠と前記撮像画像を関連づけて記憶することを特徴とする請求項１に記載の撮像装置。
【請求項３】
前記受付手段が前記所定の状態の開始の指示を受け付けたとき、次のページに改ページする改ページ手段をさらに備え、
前記記憶手段は、前記受付手段により前記所定の状態の開始の指示を受け付けてから解除の指示を受け付けるまでの間の撮像により得られた撮像画像を、前記次のページの画像枠に関連づけて記憶することを特徴とする請求項１または２に記載の撮像装置。
【請求項４】
前記同じページ上での画像枠数の上限を設定する設定手段をさらに備え、
前記ページに存在する画像枠数が前記設定された上限に達すると、次のページに自動的に改ページする自動改ページ手段をさらに備えたことを特徴とする請求項１乃至３のいずれか１項に記載の撮像装置。
【請求項５】
前記受付手段は、前記自動改ページ手段により次のページに改ページされると、前記所定の状態の解除の指示を自動的に受け付けることを特徴とする請求項４に記載の撮像装置。
【請求項６】
画像を撮像し、複数の撮像画像を１つの電子ドキュメントの複数のページに配置する撮像装置の制御方法であって、
前記ページ上の画像枠と前記撮像画像を関連づけて記憶するステップと、
ユーザの操作に応答して、所定の状態の開始および解除の指示を受け付けるステップと、
前記所定の状態の開始の指示を受け付けてから解除の指示を受け付けるまでの間の撮像により得られた撮像画像を、前記複数のページのうち同じページの画像枠に関連づけて記憶するステップを備えたことを特徴とする制御方法。
【請求項７】
画像を撮像し、複数の撮像画像を１つの電子ドキュメントの複数のページに配置する撮像装置のコンピュータに、
前記ページ上の画像枠と前記撮像画像を関連づけて記憶するステップと、
ユーザの操作に応答して、所定の状態の開始および解除の指示を受け付けるステップと、
前記所定の状態の開始の指示を受け付けてから解除の指示を受け付けるまでの間の撮像により得られた撮像画像を、前記複数のページのうち同じページの画像枠に関連づけて記憶するステップを実行させることを特徴とするプログラム。
【発明の詳細な説明】
【技術分野】
【０００１】
本発明は、撮像装置に関し、特に撮影しながらアルバムを生成する撮像装置に関するものである。
【背景技術】
【０００２】
従来、画像を撮影しながらアルバムを生成することが可能なデジタルカメラにおいて、テンプレートのいずれかの画像枠に撮像部からのスルー画像を表示させてアルバムを生成する技術がある。（特許文献１参照。）。
【先行技術文献】
【特許文献】
【０００３】
【特許文献１】特開２００８−０１７２３８号公報
【発明の概要】
【発明が解決しようとする課題】
【０００４】
ユーザは画像を撮影しながらアルバムを生成する際に、所望の期間に連続して撮像される複数の画像を同じページ内に配置したいという要望がある。しかしながら、従来技術では所定のテンプレートに撮像画像を配置することしかできず、所望する複数の撮像画像が別のページに配置されてしまい、ユーザが望むようなアルバムを生成できないという問題があった。
【課題を解決するための手段】
【０００５】
上記課題を解決するために、本願に係る発明の１つは、画像を撮像し、複数の撮像画像を１つの電子ドキュメントの複数のページに配置する撮像装置であって、前記ページ上の画像枠と前記撮像画像を関連づけて記憶する記憶手段と、ユーザの操作に応答して、所定の状態の開始および解除の指示を受け付ける受付手段と、前記記憶手段は、前記受付手段により前記所定の状態の開始の指示を受け付けてから解除の指示を受け付けるまでの間の撮像により得られた撮像画像を、前記複数のページのうち同じページの画像枠に関連づけて記憶することを特徴とする。
【発明の効果】
【０００６】
本発明によれば、ユーザは、簡単な操作で画像を撮影しながらアルバムを生成する際に、所望の期間に連続して撮像される複数の画像を同じページ内に配置でき、使い勝手が向上するという効果が得られる。
【図面の簡単な説明】
【０００７】
【図１】本発明の一実施例に係る撮像装置の構成を示すブロック図である。
【図２】本発明の一実施例に係る撮像装置の動作を示すフローチャート図である。
【図３】本発明の一実施例に係る画面の一例を示す図である。
【図４】本発明の一実施例に係る表示用データの一例を示す図である。
【図５】本発明の一実施例に係る撮像装置の動作を示すフローチャート図である。
【図６】本発明の一実施例に係る撮像装置の動作を示すフローチャート図である。
【図７】本発明の一実施例に係る画面の一例を示す図である。
【図８】本発明の一実施例に係る携帯電話機の構成を示すブロック図である。
【発明を実施するための形態】
【０００８】
以下に、図面を参照して、この発明の好適な実施の形態を例示的に詳しく説明する。ただし、この実施例に記載されている構成要素はあくまで例示であり、この発明の範囲をそれらのみに限定する趣旨のものではない。
【０００９】
（第１の実施例）
図１は、本実施例における撮像装置の内部構成を示す図である。本実施例では、撮像装置１００はデジタルカメラを例に挙げて説明する。制御部１０１は撮像装置１００の全体の制御を行い、例えばＣＰＵで構成される。メモリ１０２は、主に制御部１０１が実行するプログラムの格納領域、プログラム実行中のワーク領域、後述する表示部１０５に表示する画面データの格納領域等、様々なデータの格納領域として使用される。記憶部１０３は、例えばフラッシュメモリ、ハードディスク等で構成され、撮像された画像データ、電子アルバムのテンプレート等を格納する。撮像部１０４は、被写体を撮影して取得したアナログ信号をデジタルデータに変換後、ＡＤＣＴ（適応離散コサイン変換）等によりデータの圧縮処理を行い、画像データとしてメモリ１０２に出力する。また撮像部１０４は、ズーム、フォーカス、絞り調整などの制御も行う。表示部１０５は、メニュー画面や、撮像部１０４による撮像処理により得られるスルー画像や画像データ等を表示し、タッチパネル機能を備え、例えば液晶ディスプレイ、有機ＥＬディスプレイ等で構成される。操作部１０６は、例えばボタン、十字キー、ダイヤル、タッチパネル、シャッターボタン等で構成され、ユーザによる操作内容を制御部１０１に通知する。
【００１０】
なお、本実施形態では電子ドキュメントとして、電子アルバムを例に挙げて説明するが、電子アルバムと同様に画像やテキストをページにレイアウトする電子新聞等でも同様である。
【００１１】
図２は撮像装置１００のメイン処理の動作を示すフローチャートである。以下の動作は、撮像装置１００の制御部１０１がメモリ１０２のプログラムを実行し、各部を制御することにより実現される。
【００１２】
まず、制御部１０１は、電子アルバムのテンプレートのリストを記憶部１０３から読み出して表示部１０５に表示し、編集対象となるテンプレートの選択をユーザに促し、ユーザの選択結果を操作部１０６から取得する（Ｓ２００）。更に制御部１０１は、選択されたテンプレートを記憶部１０３より読み出してメモリ１０２に記憶し、表示対象ページ番号として先頭の２ページ分のページ番号をメモリ１０２に記憶する。制御部１０１は、メモリ１０２に記憶されているテンプレートの、表示対象ページ番号に示される２ページ分を含む再生画面を表示部１０５に表示するよう表示制御する（Ｓ２０１）。
【００１３】
図３（ａ）はステップＳ２０１において表示部１０５に表示されるアルバム再生画面の一例を示す図である。画像枠３００は、既に画像データが関連づけられており、画像データのサムネイル画像が表示されている。画像枠３０１は未だ画像データが関連づけられておらず、その旨を示す代替画像が表示されている。なお、各画像枠にはページ内で一意に識別するための画像枠ＩＤが割り当てられている。また、各画像枠はページ上での存在場所やサイズを示す座標情報を持つ。戻るボタン３０２と進むボタン３０３は、ユーザの操作に応答して、アルバムのページを切り換える指示を入力する。撮像ボタン３０４はユーザの操作に応答して、アルバム再生画面を後述するアルバム撮影画面に切り換える指示を入力する。終了ボタン３０５はアルバム再生画面を終了する指示を入力する。
【００１４】
図４は図３（ａ）のアルバム再生画面を表示部１０５に表示するための表示用データである。本実施例の表示用データがＸＭＬソースである。タグ４１０はテンプレートのタイトルを示す。タグ４１１はページの区切りを示す。“ｌｏｃａｔｅ”は、アルバムの見開きページの左側・右側を示す。タグ４１２はページの背景画像を関連付ける。“ｂｒｉｇｈｔｎｅｓｓ”は、背景画像に関連付けられた画像の明るさを示すパラメータであり、“ｍｏｄｅ”は、背景画像に関連付けられた画像の画像処理方法を示すパラメータである。タグ４１３、４１４は、テンプレート上の画像枠を示し、ページ上で固有に識別されるＩＤを持つ。図４では、ページ番号が２のページにおいて、タグ４１３は２−１の画像枠に関し、タグ４１４は２−２の画像枠に関する。“ｘ”、“ｙ”は、ページ上の座標を、“ｗｉｄｔｈ”、“ｈｅｉｇｈｔ”は関連付けられた画像の表示サイズを示す。タグ４１３は、ＩＭＧ＿００２９．ＪＰＧの画像データが関連付けられていることを示す。タグ４１４は、未だ画像枠が関連付けられていないことを示す。なお、後述するアルバム撮像画面も同様のＸＭＬソースを用いて表示部１０５に表示される。なお、本実施例ではＸＭＬで記述されたものを例に挙げて説明したが、そのほかの記述言語であっても同様に実現できる。
【００１５】
制御部１０１は操作部１０６から通知される操作内容が戻るボタン３０２または進むボタン３０３の操作によるページの切り換え指示であるか否かを判定する（Ｓ２０２）。ページの切り換え指示であれば（Ｓ２０２でＹｅｓ）、制御部１０１は表示対象ページ番号を更新し、再生画面に表示されるページを切り換えて表示し（Ｓ２０３）、ステップＳ２０１に戻る。なお、戻るボタン３０２の操作であれば、表示対象ページ番号は２ページ分減算され、進むボタン３０３の操作であれば２ページ分加算される。
【００１６】
制御部１０１は操作部１０６から通知される操作内容が撮像ボタン３０４の操作による撮像指示であるか否かを判定する（Ｓ２０４）。撮像指示であれば（Ｓ２０４でＹｅｓ）、制御部１０１は後述する画像枠撮像処理を行う（Ｓ２０５）。
【００１７】
制御部１０１は操作部１０６から通知される操作内容が終了ボタン３０５の操作による終了指示であるか否かを判定する（Ｓ２０６）。終了指示であれば（Ｓ２０６でＹｅｓ）、制御部１０１は本動作を終了する。
【００１８】
なお、ステップＳ２００において制御部１０１は、新規の電子アルバムのテンプレートだけでなく、既存の作成中の電子アルバムのリストも記憶部１０３から読み出して表示部１０５に表示し、編集対象としてユーザに選択させるようにしてもよい。ここで、既存の作成中の電子アルバムが選択されれば、ステップＳ２０１において制御部１０１は、選択された電子アルバムの、空きの画像枠が存在するページのうち、最小のページ番号を含む２ページ分の再生画面を表示部１０５に表示するよう表示制御する。
【００１９】
図５は撮像装置１００の画像枠撮像処理（Ｓ２０５）の動作を示すフローチャートである。
【００２０】
まず、制御部１０１は初期処理として、空きの画像枠が存在するページのうち、最も小さいページ番号を、現在ページとして取得してメモリ１０２に記憶する（Ｓ５００）。
【００２１】
次に、制御部１０１は、現在ページに空きの画像枠があるかどうかを判定する（Ｓ５０１）。制御部１０１は、空きの画像枠があれば（Ｓ５０１でＹｅｓ）、ステップＳ５０２に処理を移し、空きの画像枠がなければ（Ｓ５０１でＮｏ）、ステップＳ５１０へ処理を移す。
【００２２】
ステップＳ５０１で空きの画像枠があれば（Ｓ５０１でＹｅｓ）、制御部１０１は、現在ページ上にある空き画像枠のうち、最も画像枠ＩＤが小さい画像枠を編集対象画像枠として選択し、メモリ１０２に記憶する（Ｓ５０２）。制御部１０１は、編集対象画像枠に撮像部１０４から取得された画像データをスルー画像として表示する（Ｓ５０３）。
【００２３】
図３（ｂ）はステップＳ５０３において表示部１０５に表示されるアルバム撮像画面の一例を示す図である。画像枠３２１に現在、撮像中の画像データがスルー画像として表示されている。グルーピングＯＮボタン３１２は、ユーザの操作に応答して、後述するグルーピング状態をＯＮに変更するよう指示するためのボタンである。
【００２４】
制御部１０１は操作部１０６から通知される操作内容がシャッターボタンの操作による撮像指示であるか否かを判定する（Ｓ５０４）。撮像指示であれば（Ｓ５０４でＹｅｓ）、制御部１０１は撮像処理を行い、撮像部１０４よりメモリ１０２に出力された画像データを記憶部１０３に保存する（Ｓ５０５）。また、制御部１０１はステップＳ５０５において記憶部１０３に保存された画像データと編集対象画像枠の画像枠ＩＤとの関連付けを記憶部１０３に保存する（Ｓ５０６）。
【００２５】
ステップＳ５０１で空きの画像枠がなければ（Ｓ５０１でＮｏ）、制御部１０１は、メモリ１０２に記憶されている現在のグルーピング状態がＯＮかどうかを判定する（Ｓ５１０）。なお、画像枠撮像処理の開始時、グルーピング状態はＯＦＦに初期化されている。現在のグルーピング状態がＯＦＦである場合は（Ｓ５１０でＮｏ）、制御部１０１はメモリ１０２に記憶されている現在ページのページ番号を１ページ分加算してステップＳ５０１に処理を戻し、次のページに対する処理に進む。
【００２６】
一方、現在のグルーピング状態がＯＮである場合は（Ｓ５１０でＹｅｓ）、制御部１０１は現在ページに新しい画像枠を追加し（Ｓ５１２）、新規の画像枠ＩＤを割り当てる。そして、追加された新たな画像枠とのページ内でのバランスを考慮して、現在ページ上の既存の画像枠を移動し、各画像枠の表示位置と表示サイズを調整する（Ｓ５１３）。そして、画像枠が追加された現在ページを表示部１０５に表示する（Ｓ５１４）。このようにして、グルーピング状態がＯＮの間、撮像された画像を同一のページにレイアウトすることができるようになる。
【００２７】
図３（ｃ）はステップＳ５１４において表示部１０５に表示されるアルバム撮像画面の一例を示す図である。図３（ｂ）に示すアルバム撮像画面はグルーピング状態がＯＦＦの時であり、その後、ユーザによってグルーピングＯＮボタン３１２が操作され、グルーピング状態の開始指示を受付けると、図３（ｃ）に示すアルバム撮像画面が表示部１０５に表示される。タイトル３３０は、グルーピング状態がＯＮであることを示す。画像枠３３１には、現在ページに既存の画像枠であり、今までの撮像により得られた画像データと対応するサムネイル画像が挿入されて表示されている。また、図３（ｃ）の画像枠３３１は、図３（ｂ）の画像枠３２０と対応し、表示位置が移動し、表示サイズが変更されている。画像枠３３２は、現在ページに新たに追加された画像枠であり、スルー画像が挿入されて表示されている。グルーピングＯＦＦボタン３３３は、ユーザの操作に応答して、グルーピング状態をＯＦＦに変更するよう指示するためのボタンである。図３（ｃ）のアルバム撮影画面において、ユーザの操作によってグルーピングＯＦＦボタン３３３が押下されると、アルバム撮影画面は図３（ｂ）に切り替わる。
【００２８】
制御部１０１は操作部１０６から通知される操作内容がグルーピングＯＮボタンの操作によるグルーピングの開始指示の受付であるか否かを判定する（Ｓ５２０）。グルーピングの開始指示であれば（Ｓ５２０でＹｅｓ）、制御部１０１は、現在ページに含まれる全ての画像枠の情報を画像枠退避情報として記憶部１０３に保存する（Ｓ５２１）。そして、制御部１０１はグルーピング状態をＯＮに変更してメモリ１０２に記憶し（Ｓ５２２）、Ｓ５０１に処理を戻す。
【００２９】
制御部１０１は操作部１０６から通知される操作内容がグルーピングＯＦＦボタンの操作によるグルーピングの解除指示を受け付けであるか否かを判定する（Ｓ５３０）。グルーピングの解除指示であれば（Ｓ５３０でＹｅｓ）、制御部１０１はメモリ１０２に記憶してあるグルーピング状態をＯＦＦに変更する（Ｓ５３１）。そして、制御部１０１は、グルーピングを確定するかどうかをユーザに選択させるためのダイアログを表示部１０５に表示し、ユーザの選択を受け付け、確定の可否を判定する（Ｓ５３２）。グルーピングを確定すると判定された場合（Ｓ５３２でＹｅｓ）、制御部１０１は、現在ページで画像が未挿入の画像枠を削除する（Ｓ５３３）。制御部１０１は、現在ページで残っている画像枠に対してＳ５１３と同様のレイアウト調整処理を行う（Ｓ５３４）。そして、制御部１０１は、メモリ１０２に記憶されている現在ページのページ番号を１ページ分加算し（Ｓ５３５）、ステップＳ５０１に処理を戻して次のページに対する処理に進む。一方、グルーピングを確定しないと判定された場合（Ｓ５３２でＮｏ）、制御部１０１は、現在ページの全ての画像枠を削除する（Ｓ５３６）。そして、制御部１０１は画像枠退避情報を記憶部１０３から読み出し、それにしたがって元の画像枠と画像を現在ページに配置して表示部１０５に表示する（Ｓ５３７）。これにより、グルーピングの破棄が行われる。なお、ステップＳ５３７では図３（ｂ）に示すアルバム撮影画面が表示される。このようにして、グルーピング状態がＯＦＦになると、次に撮像される画像からは別のページにレイアウトすることができるようになる。
【００３０】
制御部１０１は操作部１０６から通知される操作内容が終了指示であるか否かを判定する（Ｓ５４０）。例えば、ユーザがプレビューボタン３１１を押下操作すると、終了指示が入力され、アルバム再生画面に切り換わる。あるいは、電子アルバムの全ての画像枠に画像が挿入されれば、終了指示が自動的に入力され、アルバム再生画面に切り換わる。終了指示であると判定されれば（Ｓ５４０でＹｅｓ）、制御部１０１は本動作を終了し、終了指示でないと判定されれば、ステップＳ５０４の処理に戻り、ユーザの操作を待つ。
なお、電子アルバムの全ての画像枠に画像が挿入される前に、ユーザの指示に応答して処理を終了した場合、制御部１０１は、それまでに撮影された画像が挿入されたテンプレートを、作成中の電子アルバムのテンプレートとして記憶部１０３に記憶する。また、電子アルバムの全ての画像枠に画像が挿入された後、処理を終了する場合、制御部１０１は、それまでに撮影された画像が挿入されたテンプレートから、電子アルバムのファイルを作成し、記憶部１０３に記憶する。
【００３１】
なお、本実施例ではユーザの操作に応答して手動でグルーピングのＯＮとＯＦＦを切り換える場合について説明したが、所定の条件を満たすことに応じて自動で切り換えるようにしてもよい。例えば、所定の時刻になった場合や、被写体に所定の顔を認識した場合に自動で切り換えるようにしてもよい。
【００３２】
上記の通り、ユーザは撮影しながらアルバムを編集する時、所定の状態（グルーピング状態）の開始と解除を指示するだけで、所望の複数の撮像画像を同じページに配置することができ、別々のページに分かれて配置されてしまうのを防ぐことができる。
【００３３】
（第２の実施例）
第１の実施例では、グルーピング状態がＯＦＦからＯＮに変更されたとき、現在ページに既存の画像とこれから撮影する画像をグルーピングし、現在ページに画像枠を追加する場合について説明した。一方、本実施例では、グルーピング状態がＯＦＦからＯＮに変更されたとき、現在ページに既存の画像とこれから撮影する画像を別のグループとし、改ページをして次のページに画像枠を追加し、以降に撮影される画像のグルーピングを継続する場合について説明する。なお、以下では第１の実施例と同様の構成については説明を省略し、本実施例に特有の構成について詳細に説明する。
【００３４】
図６は撮像装置１００の画像枠撮像処理（Ｓ２０５）の動作を示すフローチャートである。図５の画像枠撮像処理と同様の処理については同じ符号で示す。
【００３５】
制御部１０１はグルーピングの開始指示があれば（Ｓ５２０でＹｅｓ）、ステップＳ５２１〜Ｓ５２２の処理の実行後、グルーピング設定画面を表示し、ユーザにグルーピング設定の入力を促し、グルーピング設定の内容をメモリ１０２に記憶する（Ｓ６２１）。
【００３６】
図７はグルーピング設定画面７００の一例を示す図である。項目７０１はグルーピング状態がＯＦＦからＯＮに変更されたときに、改ページするかどうかを設定する。項目７０２はグルーピング状態がＯＮのときに１ページに配置する画像枠数の上限を設定する。本実施例では現在ページに配置された画像枠が上限に達すると、自動的に改ページする。項目７０３は現在ページの画像枠数が上限に達して自動改ページしたときに、グルーピングの状態をＯＮのまま継続するかＯＦＦに変更するかを設定する。
【００３７】
制御部１０１はメモリ１０２を参照し、グルーピング状態がＯＮに切り替わったときに改ページするか否かを判定する（Ｓ６２２）。改ページすると判定されれば（Ｓ６２２でＹｅｓ）、メモリ１０２に記憶されている現在ページのページ番号を１ページ分加算し（Ｓ６２３）、ステップＳ５０１に処理を戻して次のページに対する処理に進む。これにより、ユーザは撮像中の画像を先頭にしてそれ以降に撮像される画像とともに新しい同一のページにレイアウトすることができる。
【００３８】
改ページしないと判定されれば（Ｓ６２３でＮｏ）、ステップＳ５０１に処理を戻して現在ページに対する処理に進む。
【００３９】
制御部１０１は撮像指示があれば（Ｓ５０４でＹｅｓ）、ステップＳ５０５〜Ｓ５０６の処理の実行後、グルーピング状態がＯＮであるか否かを判定する（Ｓ６５０）。グルーピング状態がＯＦＦであれば（Ｓ６５０でＮｏ）、ステップＳ５０１に処理を戻して現在ページに対する処理に進む。一方、グルーピング状態がＯＮであれば（Ｓ６５０でＹｅｓ）、制御部１０１はメモリ１０２を参照し、自動改ページ画像枠数が現在ページに存在する画像枠数と一致するか否かを判定する（Ｓ６５１）。自動改ページ画像枠数が現在ページに存在する画像枠数と一致すれば（Ｓ６５１でＹｅｓ）、制御部１０１はメモリ１０２に記憶されている現在ページのページ番号を１ページ分加算する（Ｓ６５２）。また、制御部１０１はメモリ１０２を参照し、自動改ページ後もグルーピング状態をＯＮのまま継続するか否か判定する（Ｓ６５３）。自動改ページ後もグルーピング状態をＯＮのまま継続すると判定されれば（Ｓ６５３でＹｅｓ）、制御部１０１は、ステップＳ５０１に処理を戻して次のページに対する処理に進む。自動改ページ後はグルーピング状態をＯＦＦに変更すると判定されれば（Ｓ６５３でＮｏ）、グルーピング状態をＯＦＦに変更してメモリ１０２に記憶する（Ｓ６５４）。自動改ページ画像枠数が現在ページに存在する画像枠数と一致しなければ（Ｓ６５１でＮｏ）、ステップＳ５０１に処理を戻して現在ページに対する処理に進む。
【００４０】
（他の実施例）
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００４１】
また、本発明の撮像装置１００は携帯電話機によっても実現される。図８は、本発明の実施形態としての携帯電話機８００の構成を示すブロック図である。本実施形態の携帯電話機８００は、音声通話機能の他、電子メール機能や、インターネット接続機能、画像の撮影、再生機能等を有する。
【００４２】
図８において、通信部８０１は、ユーザが契約した通信キャリアに従う通信方式により他の電話機との間で音声データや画像データを通信する。音声処理部８０２は、音声通話時において、マイクロフォン８０３からの音声データを発信に適した形式に変換して通信部８０１に送る。また、音声処理部８０２は、通信部８０１から送られた通話相手からの音声データを復号し、スピーカ８０４に送る。撮像部８０５は、被写体の画像を撮影し、画像データを出力する。画像処理部８０６は、画像の撮影時においては、撮像部８０５により撮影された画像データを処理し、記録に適した形式に変換して出力する。また、画像処理部８０６は、記録された画像の再生時には、再生された画像を処理して表示部８０７に送る。表示部８０７は、数インチ程度の液晶表示パネルを備え、制御部８０９からの指示に応じて各種の画面を表示する。不揮発メモリ８０８は、アドレス帳の情報や、電子メールのデータ、撮像部８０５により撮影された画像データ等のデータを記憶する。
【００４３】
制御部８０９はＣＰＵやメモリ等を有し、不図示のメモリに記憶された制御プログラムに従って携帯電話機８００の各部を制御する。操作部８１０は、電源ボタンや番号キー、その他ユーザがデータを入力するための各種の操作キーを備える。カードＩＦ８１１は、メモリカード８１２に対して各種のデータを記録再生する。外部ＩＦ８１３は、不揮発メモリ８０８やメモリカード８１２に記憶されたデータを外部機器に送信し、また、外部機器から送信されたデータを受信する。外部ＩＦ８１３は、ＵＳＢ等の有線の通信方式や、無線通信など、公知の通信方式により通信を行う。
【００４４】
次に、携帯電話機８００における音声通話機能を説明する。通話相手に対して電話をかける場合、ユーザが操作部８１０の番号キーを操作して通話相手の番号を入力するか、不揮発メモリ８０８に記憶されたアドレス帳を表示部８０７に表示し、通話相手を選択し、発信を指示する。発信が指示されると、制御部８０９は通信部８０１に対し、通話相手に発信する。通話相手に着信すると、通信部８０１は音声処理部８０２に対して相手の音声データを出力すると共に、ユーザの音声データを相手に送信する。
【００４５】
また、電子メールを送信する場合、ユーザは、操作部８１０を用いて、メール作成を指示する。メール作成が指示されると、制御部８０９はメール作成用の画面を表示部８０７に表示する。ユーザは操作部８１０を用いて送信先アドレスや本文を入力し、送信を指示する。制御部８０９はメール送信が指示されると、通信部８０１に対しアドレスの情報とメール本文のデータを送る。通信部８０１は、メールのデータを通信に適した形式に変換し、送信先に送る。また、通信部８０１は、電子メールを受信すると、受信したメールのデータを表示に適した形式に変換し、表示部８０７に表示する。
【００４６】
次に、携帯電話機８００における撮影機能について説明する。ユーザが操作部８１０を操作して撮影モードを設定した後、静止画或いは動画の撮影を指示すると、撮像部８０５は静止画データ或いは動画データを撮影して画像処理部８０６に送る。画像処理部８０６は撮影された静止画データや動画データを処理し、不揮発メモリ８０８に記憶する。また、画像処理部８０６は、撮影された静止画データや動画データをカードＩＦ８１１に送る。カードＩＦ８１１は静止画や動画データをメモリカード８１２に記憶する。
【００４７】
また、携帯電話機８００は、この様に撮影された静止画や動画データを含むファイルを、電子メールの添付ファイルとして送信することができる。具体的には、電子メールを送信する際に、不揮発メモリ８０８やメモリカード８１２に記憶された画像ファイルを選択し、添付ファイルとして送信を指示する。
【００４８】
また、携帯電話機８００は、撮影された静止画や動画データを含むファイルを、外部ＩＦ８１３によりＰＣや他の電話機等の外部機器に送信することもできる。ユーザは、操作部８１０を操作して、不揮発メモリ８０８やメモリカード８１２に記憶された画像ファイルを選択し、送信を指示する。制御部８０９は、選択された画像ファイルを不揮発メモリ８０８或いはメモリカード８１２から読み出し、外部機器に送信するよう、外部ＩＦ８１３を制御する。
【００４９】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５０】
また、コンピュータが読み出したプログラムコードを実行することにより、前述した実施例の機能が実現されるだけではない。例えば、そのプログラムコードの指示に基づき、コンピュータ上で稼動しているＯＳ（オペレーションシステム）などが実際の処理の一部または全部を行い、その処理によって前述した実施例の機能が実現される場合も含まれることは言うまでもない。さらに、以下のような処理によって前述した実施形態の機能が実現される場合も含まれることは言うまでもない。まず、記憶媒体から読み出されたプログラムコードが、コンピュータに挿入された機能拡張ボードやコンピュータに接続された機能拡張ユニットに備わるメモリに書きこまれる。その後、そのプログラムコードの指示に基づき、その機能拡張ボードや機能拡張ユニットに備わるＣＰＵなどが実際の処理の一部または全部を行う。
【図１】
0005818653.tif 000002
【図２】
0005818653.tif 000003
【図３】
0005818653.tif 000004
【図４】
0005818653.tif 000005
【図５】
0005818653.tif 000006
【図６】
0005818653.tif 000007
【図７】
0005818653.tif 000008
【図８】
0005818653.tif 000009